(57)【特許請求の範囲】
【請求項１】
化粧材が固定部品を介して表面に取り付けられた面材を備えたドアであって、
前記化粧材の長手方向端部にキャップが取り付けられ、
前記キャップは、前記化粧材の小口を覆う蓋部と、前記化粧材の内部に挿入される挿入部と、前記面材に形成された挿通孔に挿通可能な突起部と、前記蓋部と前記突起部との間で前記面材側に開口する凹部と、を有して構成され、
前記キャップが取り付けられた前記化粧材が前記固定部品を介して面材に取り付けられた取付状態において、前記固定部品の少なくとも一部が前記凹部内に配置されるドア。
【請求項２】
前記化粧材は、前記面材側に開口するとともに長手方向に連続する開口部を有して構成され、
前記挿入部は、前記蓋部から延びて形成され、この挿入部から前記面材に向かって突出して前記突起部が形成され、
前記固定部品は、前記開口部に係合可能な本体部と、この本体部から前記面材に向かって突出する突出部とを有して構成され、前記面材に形成された係止孔に前記突出部を挿通して係止させることで当該固定部品が前記面材に取り付けられる請求項１に記載のドア。
【請求項３】
前記挿入部は、前記面材に対向する第１面部と、この第１面部から前記面材に向かって延びる一対の第２面部と、からなる断面コ字形部分を有して形成され、前記第１面部および前記一対の第２面部に三方が囲まれて前記凹部が形成されている請求項１または請求項２に記載のドア。
【請求項４】
前記化粧材の前記内部は、前記第１面部に対向する第１対向面部と、この第１対向面部から前記面材に向かって延びるとともに前記一対の第２面部同士の間隔よりも幅広となる一対の第２対向面部と、これら一対の第２対向面部から互いに接近する方向に向かって延びる一対の第３対向面部と、で区画された空間を有して構成され、当該空間に前記挿入部が圧入状態で挿入され、
前記固定部品の本体部は、前記一対の第３対向面部間に形成された開口部に挿入されて当該一対の第３対向面部に係合されるとともに、前記一対の第２対向面部間に配置されている請求項３に記載のドア。
【発明の詳細な説明】
【技術分野】
【０００１】
本発明は、ドアに関し、詳しくは、表面に化粧材が取り付けられた面材を有するドアに関する。
【背景技術】
【０００２】
従来、扉等の面材の表面に化粧材が取り付けられた玄関用ドアが提案されている（例えば、特許文献１参照）。
特許文献１に記載された玄関用ドアは、扉体に複数の係止孔が形成され、この係止孔に差し込まれた複数の固定部品に化粧材が係止されることで、化粧材が扉体に取り付けられている。また、化粧材の両端部にはキャップが取り付けられており、このキャップには、化粧材に挿入される第１突部と、この第１突部から面材に向かって突出した第２突部とが形成され、第２突部を面材の上下端部近傍に形成された受孔に係止させることで、化粧材の高さ方向の移動が規制されるようになっている。
【先行技術文献】
【特許文献】
【０００３】
【特許文献１】特開２００７−４０００３号公報
【発明の概要】
【発明が解決しようとする課題】
【０００４】
しかしながら、特許文献１に記載された玄関ドアでは、化粧材の上下端部にキャップが取り付けられ、このキャップよりも長さ方向中央側の位置に固定部品を設け、この固定部品に化粧材を係合させる必要があるため、化粧材の上下端部近傍に浮きや剥がれが発生しやすいという問題がある。
【０００５】
本発明の目的は、化粧材の浮きや剥がれを防止することができるドアを提供することにある。
【課題を解決するための手段】
【０００６】
本発明のドアは、化粧材が固定部品を介して表面に取り付けられた面材を備えたドアであって、前記化粧材の長手方向端部にキャップが取り付けられ、前記キャップは、前記化粧材の小口を覆う蓋部と、前記化粧材の内部に挿入される挿入部と、前記面材に形成された挿通孔に挿通可能な突起部と、前記蓋部と前記突起部との間で前記面材側に開口する凹部と、を有して構成され、前記キャップが取り付けられた前記化粧材が前記固定部品を介して面材に取り付けられた取付状態において、前記固定部品の少なくとも一部が前記凹部内に配置されることを特徴とする。
【０００７】
ここで、本発明のドアとしては、１枚または複数枚の面材が回動自在に支持された開き戸や、面材が左右にスライド自在に支持された引き戸などの出入口が例示できる。
以上の本発明によれば、突起部より化粧材の長手方向端部に近い位置に形成された凹部に固定部品が配置されるため、化粧材を端部に近い位置にて固定部品を介して面材に取り付けることができ、化粧材の端部近傍における浮きや剥がれを防止することができる。
【０００８】
この際、本発明のドアでは、前記化粧材は、前記面材側に開口するとともに長手方向に連続する開口部を有して構成され、前記挿入部は、前記蓋部から延びて形成され、この挿入部から前記面材に向かって突出して前記突起部が形成され、前記固定部品は、前記開口部に係合可能な本体部と、この本体部から前記面材に向かって突出する突出部とを有して構成され、前記面材に形成された係止孔に前記突出部を挿通して係止させることで当該固定部品が前記面材に取り付けられることが好ましい。
このような構成によれば、化粧材と係合する固定部品の本体部がキャップの凹部に配置されるため、面材の厚さ方向におけるキャップおよび固定部品の寸法を小さくすることができる。
【０００９】
また、本発明のドアでは、前記挿入部は、前記面材に対向する第１面部と、この第１面部から前記面材に向かって延びる一対の第２面部と、からなる断面コ字形部分を有して形成され、前記第１面部および前記一対の第２面部に三方が囲まれて前記凹部が形成されていることが好ましい。
このような構成によれば、挿入部の第１面部と一対の第２面部とにより凹部が形成されることで、この断面コ字形の部分からなる凹部を挿入部の長さに沿って所定寸法で形成しておけば、面材に形成された挿通孔や係止孔が設定位置から化粧材の長さ方向でずれたとしても、位置ずれした固定部品を凹部によって適切に受け入れつつ化粧材を取り付けることができる。
【００１０】
さらに、本発明のドアでは、前記化粧材の前記内部は、前記第１面部に対向する第１対向面部と、この第１対向面部から前記面材に向かって延びるとともに前記一対の第２面部同士の間隔よりも幅広となる一対の第２対向面部と、これら一対の第２対向面部から互いに接近する方向に向かって延びる一対の第３対向面部と、で区画された空間を有して構成され、当該空間に前記挿入部が圧入状態で挿入され、前記固定部品の本体部は、前記一対の第３対向面部間に形成された開口部に挿入されて当該一対の第３対向面部に係合されるとともに、前記一対の第２対向面部間に配置されていることが好ましい。
このような構成であれば、キャップおよび固定部品をさらににコンパクトに構成することができる。
【図面の簡単な説明】
【００１１】
【図１】本発明の実施形態に係るドアを示す正面図である。
【図２】前記ドアを示す横断面図である。
【図３】前記ドアを示す縦断面図である。
【図４】前記ドアの一部を拡大して示す分解斜視図である。
【発明を実施するための形態】
【００１２】
以下、本発明の一実施形態に係るドアとしての玄関ドア１を図面に基づいて説明する。
図１〜３において、玄関ドア１は、住宅等における出入口に設けられたものであって、外壁開口部に固定されるドア枠２と、このドア枠２に開閉自在に支持された面材としての扉体３とを備えて構成されている。ドア枠２は、上枠２１、下枠２２および左右の縦枠２３を四周枠組みして構成されている。扉体３は、上枠材３１、下枠材３２および左右の縦枠材３３を四周枠組みした内部に、樹脂製の断熱材３４と、この断熱材の屋内外にそれぞれ設けられる内外一対の金属製の金属パネル３５，３６とを備えて構成されている。
【００１３】
金属パネル３５，３６は、それぞれ各枠材３１，３２，３３および断熱材３４の屋外側および屋内側を覆って設けられ、折り曲げられた四周端縁が、上枠材３１、下枠材３２および左右の縦枠材３３に固定されている。金属パネル３５には、図４に示すように、後述する突起部６３に対応する挿通孔３８と、突出部７２に対応する係止孔３９とが形成されている。すなわち、係止孔３９は、挿通孔３８より金属パネル３５の端部に近い位置に形成されている。挿通孔３８に突起部６３が差し込まれることで、キャップ６が位置決めされる。また、係止孔３９に突出部７２が差し込まれることで、金属パネル３５が固定部品７を係止する。また、扉体３は、一方（図１の右側）の縦枠２３に３箇所の蝶番４を介して回動支持され、蝶番４の回動軸を中心にして屋外側に開閉可能に構成されている。また、扉体３の戸先側には、操作ハンドル３７や施錠装置（図示しない）が設けられている。
【００１４】
扉体３の屋外側の表面には、鉛直方向に延びる４本の化粧材５が所定間隔で設けられ、後述する固定部品７を介して扉体３に取り付けられている。化粧材５は、所定の幅寸法を有し、扉体３と略同じ高さ寸法を有するアルミ押出形材製の長尺部材であり、図２および図４に示すように、屋外側表面を形成する第１対向面部としての表面部５１と、表面部５１の幅方向の端部から扉体３側に延びる第２対向面部としての一対の側面部５２と、この一対の側面部５２の先端から互いに接近する方向に向かって延びるとともに表面部５１に対向して扉体３に接する第３対向面部としての裏面部５３と、裏面部５３の幅方向中央位置（離間した裏面部５３の先端間）に形成された開口部５４と、を有して断面略Ｃ字形状に形成されている。開口部５４は、化粧材５の長手方向に連続して開口し、後述する固定部品７と係合可能に構成されている。化粧材５は、表面部５１、一対の側面部５２、および裏面部５３により囲まれた内部５５を有し、その長手方向の両端部に開口して小口５６が形成されている。裏面部５３における開口部５４側の端部には、内部５５側に折り曲げられた係合部５３１が長手方向に沿って形成されている。
【００１５】
化粧材５の長手方向両端部には、小口５６を塞ぐキャップ６が取り付けられている。キャップ６は、樹脂製の一体成形品であって、図３および図４に示すように、小口５６を覆う蓋部６１と、蓋部６１から化粧材５の長手方向中央側に延びる挿入部６２と、挿入部６２の先端近傍から扉体３に向かって突出する略円錐形状の突起部６３とを有して構成されている。蓋部６１は、化粧材５の小口５６を覆う形状を有している。挿入部６２は、扉体３に対向して化粧材５の表面部５１の内面に当接する第１面部６２１と、第１面部６２１の幅方向両端部に形成され化粧材５の側面部５２に当接する一対の第２面部６２２とにより、その長手方向に延びて断面コ字形状に形成され、化粧材５の内部５５に挿入可能に形成されている。また、第１面部６２１および一対の第２面部６２２により、蓋部６１と突起部６３との間で扉体３側に開口する凹部６４が形成されている。すなわち、本実施形態では、挿入部６２の略全長が断面コ字形部分とされて凹部６４が形成されているが、これに限らず、挿入部６２の長さ方向の一部に断面コ字形部分を形成し、この部分によって凹部６４を構成してもよい。
【００１６】
突起部６３は、第１面部６２１の先端近傍から扉体３に向かって突出して形成されている。また、第２面部６２２の蓋部６１に近い位置には、化粧材５の側面部５２および裏面部５３に向かって突出する圧入突起６２３がそれぞれ形成されている。このような構成のキャップ６は、挿入部６２が内部５５に挿入されるとともに圧入突起６２３の位置で圧入され、化粧材５の開口部５４から突出した突起部６３が金属パネル３５の挿通孔３８に挿通されることで、上下方向および左右方向に位置決めされるようになっている。
【００１７】
固定部品７は、樹脂製の一体成形部品であって、図２および図４に示すように、化粧材５と係合可能な本体部７１と、本体部７１から扉体３に向かって突出する突出部７２とを有して構成されている。本体部７１は、化粧材５の開口部５４の幅方向の寸法よりやや大きい幅寸法を有し、この幅方向の両端部には、化粧材５の係合部５３１と係合可能な係合片部７１１が形成されている。また、本体部７１は、凹部６４に収納可能な幅寸法および高さ寸法を有している。突出部７２は、本体部７１から扉体３に向かって突出して形成されている。このような構成の固定部品７は、突出部７２を金属パネル３５に形成された係止孔３９に挿通させて係止することで扉体３に固定され、本体部７１を裏面部５３と係合させることで化粧材５が扉体３に取り付けられ、この取付状態において、本体部７１が凹部６４に配置されるようになっている。
【００１８】
以上のような化粧材５、キャップ６および固定部品７を扉体３に取り付ける手順を説明する。まず、金属パネル３５の所定位置に形成された複数の係止孔３９に、固定部品７の突出部７２をそれぞれ挿通させて固定部品７を金属パネル３５に係止させる。次に、キャップ６の挿入部６２を化粧材５の小口５６から内部５５に挿入するとともに圧入突起６２３を圧入し、蓋部６１が小口５６を覆う状態にする。そして、突起部６３が開口部５４から扉体３側に突出した状態で、突起部６３を金属パネル３５の挿通孔３８に差し込むとともに、裏面部５３に本体部７１を係合させる。以上のように、化粧材５を固定部品７に係合させるとともに、キャップ６の突起部６３を挿通孔３８に挿通することで、化粧材５が上下左右に移動不能に取り付けられる。
【００１９】
以上の実施形態によれば、キャップ６に凹部６４を設けたことで、この凹部６４に固定部品７を配置することができ、固定部品７による化粧材５と金属パネル３５との固定位置を、突起部６３より化粧材５の端部に近い位置に設定することができるため、化粧材５の端部近傍における浮きや剥がれを防止することができる。また、挿通孔３８と係止孔３９との距離は、各種金属パネルで異なる場合や同種の金属パネルであっても製造過程で多少の誤差が生じる場合が考えられるが、本実施形態のように、凹部６４が挿入部６２の長さ方向に連続して開口していることで、各金属パネルの挿通孔３８や係止孔３９が初期設定位置から上下に多少ずれたとしても、凹部６４によって固定部品７の本体部７１を受け入れて化粧材５を取り付けられるため、取付作業の作業性を向上させることができる。
【００２０】
なお、本発明は、前記実施形態に限定されるものではなく、本発明の目的を達成できる他の構成等を含み、以下に示すような変形等も本発明に含まれる。
例えば、前記実施形態においては、扉体３が回動開閉可能に設けられた開き戸形式の玄関ドア１を例示して説明したが、本発明のドアは、面材に化粧材が取り付けられたドアであればよく、例えば、スライド開閉可能に設けられた１枚または複数枚の面材を有した引き戸形式のドアであってもよい。
また、前記実施形態では、化粧材５は鉛直方向に延びる長尺部材であったが、化粧材５の形状はこれに限られず、水平方向に延びる部材であってもよく、少なくとも１つの小口を有する化粧材であればよい。
【００２１】
また、前記実施形態では、キャップ６の挿入部６２が、その長手方向に連続する断面コ字形状に形成され、面材側に開口する凹部６４が設けられたが、これに限らず、挿入部６２の内部に本体部７１を収納でき、突出部７２が金属パネル３５側に突出できる構成であればよく、例えば、凹部の大きさを本体部７１と同等の大きさに形成する構成としてもよい。また、キャップ６の挿入部６２は、扉体３側に開口した断面コ字形状に限らず、屋外側に開口した形状やロ字形状の中空状の内部を有する形状であってもよく、この場合には、挿入部の屋内側に開口する孔を形成し、この孔で凹部を構成してもよい。さらに、断面中実状に形成した挿入部に屋内側に開口する凹部や孔部を形成し、この孔で凹部を構成してもよい。
また、キャップ６の突起部６３を、第１面部６２１から扉体３に向かって突出して形成したが、これに限らず、挿入部６２から扉体３に向かって突出するように設ければその他の構成でもよい。例えば、一対の第２面部６２２の扉体３側先端同士を繋ぐ面を構成し、この面から扉体３に向かって突出するように設ければよい。この際、この面は、一対の第２面部６２２の扉体３側先端同士を繋ぐ構成に限らず、扉体３側先端と第１面部６２１側先端との間の中間部分同士を繋ぐ構成であってもよい。
【００２２】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２３】
１…玄関ドア（ドア）、２…ドア枠、３…扉体（面材）、４…蝶番、５…化粧材、６…キャップ、７…固定部品、３１…上枠材、３２…下枠材、３３…縦枠材、３４…断熱材、３５，３６…金属パネル、３８…挿通孔、３９…係止孔、５１…表面部（第１対向面部）、５２…側面部（第２対向面部）、５３…裏面部（第３対向面部）、５４…開口部、５５…内部、５６…小口、６１…蓋部、６２…挿入部、６３…突起部、６４…凹部、７１…本体部、７２…突出部、６２１…第１面部、６２２…第２面部。
【図１】
0005385227.tif 000002
【図２】
0005385227.tif 000003
【図３】
0005385227.tif 000004
【図４】
0005385227.tif 000005